(57)【要約】【課題】データファイルの管理・編集の際のユーザの負担を軽減する。【解決手段】削除フォルダには、削除すべきデータが格納され、送信フォルダには、他の機器に送信すべきデータが格納されている。他の機器との接続が確立されると（ステップ２０１でＹｅｓ）、削除フォルダにデータが有り（ステップ２０３でＹｅｓ）、他の機器に同一データが有る場合（ステップ２０５でＹｅｓ）には、削除フォルダのデータを削除する（ステップ２０７）。送信フォルダにデータが有る場合（ステップ２０９でＹｅｓ）には、送信フォルダのデータを他の機器に送信する（ステップ２１１）。他の機器の送信フォルダにデータが有る場合（ステップ２１３でＹｅｓ）には、他の機器の送信フォルダのデータを受信フォルダに格納する（ステップ２１５）。【選択図】図５
2010020631.tif 000002
【特許請求の範囲】
【請求項１】
データを格納可能な記憶部と、
他の機器との間の通信接続を確立し、前記他の機器と前記記憶部との間で前記データを送受信する通信部と、
所定のデータ処理に対応付けられたフォルダを検出する検出部と、
前記通信部により、他の機器との通信接続が確立された後、前記フォルダに対応付けられた前記所定のデータ処理を実行するデータ処理部と、を備える情報端末装置。
【請求項２】
前記所定のデータ処理は、
前記通信部を介して、データを送信する送信処理であり、
前記所定のデータ処理が対応付けられているフォルダが自機内の前記記憶部にあった場合、
前記データ処理部は、
前記送信処理が対応付けられたフォルダに格納されたデータを、前記通信部を介して前記他の機器に送信することを特徴とする請求項１に記載の情報端末装置。
【請求項３】
前記所定のデータ処理は、
前記通信部を介して、データを送信する送信処理であり、
前記所定のデータ処理が対応付けられているフォルダが他の機器内にあった場合、
前記データ処理部は、
前記送信処理が対応付けられたフォルダに格納されたデータを、前記通信部を介して自機の前記記憶部に送信することを特徴とする請求項１に記載の情報端末装置。
【請求項４】
前記所定のデータ処理は、
前記通信部を介してデータを受信する受信処理であり、
前記所定のデータ処理が対応付けられているフォルダが自機内にあった場合、
前記データ処理部は、
前記他の機器から前記通信部を介して受信したデータを、前記記憶部における前記受信処理に対応付けられたフォルダに格納することを特徴とする請求項１又は３に記載の情報端末装置。
【請求項５】
前記所定のデータ処理は、
前記データを削除する削除処理であり、
前記所定のデータ処理が対応付けられているフォルダが自機内の前記記憶部にあった場合、
前記データ処理部は、
前記通信部を介して、前記削除処理に対応付けられたフォルダに格納されたデータと同じデータが前記他の機器の記憶装置に格納されているか否かを判定し、
同じデータが前記他の機器の記憶装置に格納されている場合に、そのフォルダに格納されたデータを削除することを特徴とする請求項１に記載の情報端末装置。
【請求項６】
情報端末装置の記憶部に格納されるデータを管理するデータ管理方法であって、
他の機器との間の通信接続を確立する工程と、
前記他の機器と前記記憶部との間で前記データを送受信するための所定のデータ処理に対応付けられたフォルダを検出する工程と、
他の機器との通信接続が確立された後、前記フォルダに対応付けられた前記所定のデータ処理を実行する工程と、を含むデータ管理方法。
【請求項７】
情報端末装置の記憶部に格納されるデータを管理するデータ管理手順をコンピュータに実行させるプログラムであって、
他の機器との間の通信接続を確立する手順と、
前記他の機器と前記記憶部との間で前記データを送受信するための所定のデータ処理に対応付けられたフォルダを検出する手順と、
他の機器との通信接続が確立された後、前記フォルダに対応付けられた前記所定のデータ処理を実行する手順と、をコンピュータに実行させるプログラム。
【発明の詳細な説明】
【技術分野】
【０００１】
本発明は、携帯型の音楽再生装置（ポータブルオーディオ）などの情報端末装置、そのデータ管理方法及びデータ管理手順をコンピュータに実行させるプログラムに関する。
【背景技術】
【０００２】
近年、持ち運び可能で極めて小型な携帯型の音楽再生装置（ポータブルオーディオ）が急速に普及している（例えば、特許文献１参照）。ポータブルオーディオには、内部にハードディスクやフラッシュメモリなどの記憶装置が内蔵されている。その記憶装置には、パーソナルコンピュータ等を介してリッピングされた楽曲データファイルや、オンライン販売により購入した楽曲データファイルが格納され、例えばヘッドホン出力により、格納された楽曲データの再生が可能となっている。
【０００３】
この種のポータブルオーディオでは、新しくリッピングまたは購入した曲を追加したり、もう聞かなくなった曲を削除したりというように、記憶装置に格納される楽曲データファイルの追加、削除、移動などが簡単に行えるようになっているのが望ましい。
【０００４】
記憶装置に格納される楽曲データファイルの追加、削除、移動は、ポータブルオーディオの操作ボタンやパーソナルコンピュータで動作する専用のソフトウエアなどを用いて手動で行われるのが一般的である。楽曲データファイルの削除を行う場合には、まず、ユーザにより、不図示の操作ボタンが操作され、楽曲データファイルの再生が一旦停止される。そして、さらなる操作により、例えば、図１１（Ａ）に示されるような画面が、その表示画面に表示される。そして、さらなる操作により、削除対象の楽曲データファイルが選択され、その削除の確認操作（ＯＫ又はキャンセル）が行われた後、最終的に楽曲データファイルが削除される。
【０００５】
また、図１１（Ｂ）には、パーソナルコンピュータ（ＰＣ）１５１上で動作する、楽曲データファイルの管理を行う専用ソフトウエアのウインドウが示されている。図１１（Ｂ）に示されるように、ポータブルオーディオ１０１とＵＳＢケーブル１１０を介して通信接続されたＰＣ１５１のディスプレイ１５２には、その専用ソフトウエアのウインドウが表示されている。そのウインドウには、ＰＣ１５１に接続されたポータブルオーディオ１０１の記憶装置に格納された楽曲データファイルのリストや、ＰＣ１５１のハードディスクドライブ（ＨＤＤ）の格納された楽曲データファイルのリストが表示されている。ユーザは、表示された楽曲データファイルのリストを見ながら、ＰＣ１５１のキーボードやマウスを操作して、ポータブルオーディオ１０１の記憶装置における楽曲データファイルの削除、ＰＣ１５１のＨＤＤからポータブルオーディオ１０１の記憶装置への楽曲データファイルへの転送などを行うことができるようになっている。
【０００６】
【特許文献１】特表２００７−５０３６７１号公報
【発明の開示】
【発明が解決しようとする課題】
【０００７】
従来のポータブルオーディオでは、楽曲データファイルの削除を行うために、楽曲データファイルの再生を一旦停止して、削除対象の楽曲データファイルを手動で指定する必要があった。また、ポータブルオーディオの記憶装置に格納された楽曲データファイルやパーソナルコンピュータ内に記憶された楽曲データファイルを各々の機器間で操作する場合には、ポータブルオーディオとパーソナルコンピュータとの通信接続を確立した上で、操作対象となる楽曲データファイルを手動により指定する必要があった。
【０００８】
このように、楽曲データファイルの追加、削除、移動は、すべて、ユーザの手動操作により行われており、煩わしさが伴う作業となっていた。特に、ポータブルオーディオの記憶装置に多数の楽曲データファイルが格納されている場合には、フォルダや楽曲データファイルの探索に時間を要するため、このような煩わしさがさらに増す。
【０００９】
また、外出時に、この曲はもう聴かないので削除しようと思っても、同一の楽曲データファイルがパーソナルコンピュータ内に記録されているか否かが確認できない場合には、削除されずにそのままとなることも多い。
【００１０】
このような事情から、ポータブルオーディオの記憶装置における楽曲データファイルの入れ替えは滞るようになり、その記憶装置には楽曲データファイルが追加される一方となる。このことは、記憶装置に格納される楽曲データファイルの増加につながり、ファイル管理の煩わしさがさらに増大するという悪循環を引き起こす。
【００１１】
本発明は、上記事情に鑑みてなされたもので、データの管理・編集の際のユーザの負担を軽減することができる情報端末装置、データ管理方法及びプログラムを提供することを目的とする。
【課題を解決するための手段】
【００１２】
上記目的を達成するために、本発明の第１の観点に係る情報端末装置は、データを格納可能な記憶部と、他の機器との間の通信接続を確立し、前記他の機器と前記記憶部との間で前記データを送受信する通信部と、所定のデータ処理に対応付けられたフォルダを検出する検出部と、前記通信部により、他の機器との通信接続が確立された後、前記フォルダに対応付けられた前記所定のデータ処理を実行するデータ処理部と、を備える。
【００１３】
前記所定のデータ処理は、前記通信部を介して、データを送信する送信処理であり、前記所定のデータ処理が対応付けられているフォルダが自機内の前記記憶部にあった場合、前記データ処理部は、前記送信処理が対応付けられたフォルダに格納されたデータを、前記通信部を介して前記他の機器に送信することとしてもよい。
【００１４】
前記所定のデータ処理は、前記通信部を介して、データを送信する送信処理であり、前記所定のデータ処理が対応付けられているフォルダが他の機器内にあった場合、前記データ処理部は、前記送信処理が対応付けられたフォルダに格納されたデータを、前記通信部を介して自機の前記記憶部に送信することとしてもよい。
【００１５】
前記所定のデータ処理は、前記通信部を介してデータを受信する受信処理であり、前記所定のデータ処理が対応付けられているフォルダが自機内にあった場合、前記データ処理部は、前記他の機器から前記通信部を介して受信したデータを、前記記憶部における前記受信処理に対応付けられたフォルダに格納することとしてもよい。
【００１６】
前記所定のデータ処理は、前記データを削除する削除処理であり、前記所定のデータ処理が対応付けられているフォルダが自機内の前記記憶部にあった場合、前記データ処理部は、前記通信部を介して、前記削除処理に対応付けられたフォルダに格納されたデータと同じデータが前記他の機器の記憶装置に格納されているか否かを判定し、同じデータが前記他の機器の記憶装置に格納されている場合に、そのフォルダに格納されたデータを削除することとしてもよい。
【００１７】
本発明の第２の観点に係るデータ管理方法は、情報端末装置の記憶部に格納されるデータを管理するデータ管理方法であって、他の機器との間の通信接続を確立する工程と、前記他の機器と前記記憶部との間で前記データを送受信するための所定のデータ処理に対応付けられたフォルダを検出する工程と、他の機器との通信接続が確立された後、前記フォルダに対応付けられた前記所定のデータ処理を実行する工程と、を含む。
【００１８】
本発明の第３の観点に係るプログラムは、情報端末装置の記憶部に格納されるデータを管理するデータ管理手順をコンピュータに実行させるプログラムであって、他の機器との間の通信接続を確立する手順と、前記他の機器と前記記憶部との間で前記データを送受信するための所定のデータ処理に対応付けられたフォルダを検出する手順と、他の機器との通信接続が確立された後、前記フォルダに対応付けられた前記所定のデータ処理を実行する手順と、をコンピュータに実行させる。
【発明の効果】
【００１９】
本発明によれば、データファイルの管理・編集を行う際のユーザの負担を軽減することができる。
【発明を実施するための最良の形態】
【００２０】
次に、本発明の一実施形態について図面を参照して詳細に説明する。
【００２１】
図１には、本実施形態に係る情報端末装置としての携帯端末装置１００の概略的な構成が示されている。図１に示されるように、携帯端末装置１００は、操作部１０と、表示部１１と、通信部１２と、記憶部１３と、デジタルシグナルプロセッサ（以下、「ＤＳＰ」と略述する）１４と、Ｄ／Ａコンバータ（以下、「ＤＡＣ」と略述する）１５と、増幅部１６と、出力部１７と、制御部２０と、を備えている。
【００２２】
操作部１０は、例えば、上下左右カーソルなどの操作ボタンなどを有し、ユーザによって操作される操作ボタンの操作入力を受け付けるマンマシンインターフェイスである。受け付けられた操作入力情報は、制御部２０に送られる。
【００２３】
表示部１１は、例えば液晶表示画面などを有するマンマシンインターフェイスである。表示部１１は、制御部２０から送られた画像情報に基づく画像を表示する。ユーザは、この表示部１１に表示された画像を見ながら、操作部１０の操作ボタンを操作することができるようになっている。
【００２４】
通信部１２は、他の機器との間でデータ通信やコマンド通信を行う通信インターフェイスである。通信部１２としては、例えばＵＳＢ（Universal Serial Bus）の通信インターフェイスを採用することができる。図２（Ａ）には、ＵＳＢケーブル１１０を介して、携帯端末装置１００とパーソナルコンピュータ（以下、「ＰＣ」と略述する）１５１とが接続された様子が示されている。また、図２（Ｂ）には、ＵＳＢケーブル１１０を介して、携帯端末装置１００とオーディオ装置１５３とが接続された様子が示されている。図２（Ａ）及び図２（Ｂ）に示されるように、ＵＳＢケーブル１１０で携帯端末装置１００と、ＰＣ１５１又はオーディオ装置１５３とを接続すれば、両者の間における通信接続が確立され、データやコマンドの送受信が可能となる。
【００２５】
記憶部１３は、ハードディスクドライブや、フラッシュメモリなどから構成されている。この記憶部１３には、通信部１２を介して転送された楽曲データファイルが格納される。この記憶部１３には、後述するように、フォルダ群２１の各フォルダに楽曲データファイルを格納できるようになっている。
【００２６】
ＤＳＰ１４は、操作部１０において、楽曲データファイルの再生操作が行われた場合に、その操作により指定された楽曲データファイルを、記憶部１３から読み出す。そして、ＤＳＰ１４は、読み出された楽曲データファイルに対するデータ処理（例えばデコード処理など）を行って、音声デジタル信号に変換して出力する。出力された信号は、ＤＡＣ１５に入力される。
【００２７】
ＤＡＣ１５は、ＤＳＰ１４から入力された音声デジタル信号を、音声アナログ信号に変換して出力する。出力された信号は、増幅部１６に入力される。
【００２８】
増幅部１６は、ＤＡＣ１５から出力された音声アナログ信号を増幅して出力する。増幅された音声アナログ信号は、出力部１７に出力される。出力部１７は、スピーカや、ヘッドホンや、外部出力端子などを纏めたものである。スピーカやヘッドホンは、増幅された音声アナログ信号を音声に変換して出力する。また、外部出力端子は、その端子に接続されたケーブルの信号線に音声アナログ信号を送出する。
【００２９】
制御部２０は、不図示のＣＰＵ（Central Processing Unit）やＲＯＭ（Read Only Memory）やＲＡＭ（Random Access Memory）等から構成されている。制御部２０は、例えばＲＯＭに格納された制御プログラムを、ＣＰＵが実行することにより、携帯端末装置１００全体を統括制御する。ＣＰＵが実行する制御プログラムには、基本プログラムとしてオペレーティングシステム（以下、「ＯＳ」と略述する）がある。そのＯＳの基本機能の１つにファイルシステムがある。このファイルシステムの管理により、前述のように、記憶部１３では、楽曲データファイルを、フォルダ２１毎に格納可能となっている。
【００３０】
図３には、記憶部１３のフォルダ群２１の詳細な構成の一例が示されている。図３に示されるように、記憶部１３には、”Ｓｅｎｄ”フォルダ１３１と、”Ｄｅｌｅｔｅ”フォルダ１３２と、”Ｒｅｃｅｉｖｅ”フォルダ１３３との３つのフォルダが用意されている。”Ｓｅｎｄ”フォルダ１３１には、他の機器へ送信される送信対象となる楽曲データファイルが格納される。また、”Ｄｅｌｅｔｅ”フォルダ１３２には、削除対象となる楽曲データファイルが格納される。また、”Ｒｅｃｅｉｖｅ”フォルダ１３３には、他の機器から受信した楽曲データファイルが格納される。すなわち、各フォルダ１３１、１３２、１３３は、それぞれ送信処理、削除処理、受信処理に対応付けられている。
【００３１】
なお、このファイルシステムは、一般にＰＣ１５１で採用されているＯＳのファイルシステムと互換性があるものが採用されており、端末間にまたがってファイルの管理を行うことができる機能がサポートされている。これにより、記憶部１３に格納された楽曲データファイルは、通信部１２を介して、ＰＣ１５１からも参照することができるようになっている。同様に、制御部２０は、通信部１２を介して、ＰＣ１５１の記憶装置に格納された楽曲データファイルを参照することができるようになっている。
【００３２】
ユーザは、操作部１０の操作により、各フォルダ１３１、１３２への楽曲データファイルの格納が可能となっている。図４（Ａ）には、表示部１１に表示される、”Ｓｅｎｄ”フォルダ１３１へ格納される楽曲データファイルの指定画面が表示されている。図４（Ａ）に示される画像が表示されている間、ユーザは、この指定画面を見ながら、操作部１０の上下カーソルを操作して楽曲データファイル（例えば、ＦｉｌｅＦ〜ＦｉｌｅＩの中からＦｉｌｅＧ）を選択し、操作部１０の左右カーソルで、その楽曲データファイル（ＦｉｌｅＧ）を指定する。この指定を受けて、制御部２０は、指定された楽曲データファイル（ＦｉｌｅＧ）を、”Ｓｅｎｄ”フォルダ１３１に格納する。表示部１１の表示画面の右上には、このような操作により、”Ｓｅｎｄ”フォルダ１３１に格納されたファイルが２個であることが表示されている。
【００３３】
また、図４（Ｂ）には、表示部１１に表示される、”Ｄｅｌｅｔｅ”フォルダ１３２へ格納される楽曲データファイルの指定画面が表示されている。図４（Ｂ）に示される画像が表示されている間、ユーザは、この指定画面を見ながら、操作部１０の上下カーソルを操作して楽曲データファイル（例えばＦｉｌｅＡ〜ＦｉｌｅＤの中からＦｉｌｅＣ）を選択し、操作部１０の左右カーソルで、その楽曲データファイル（ＦｉｌｅＣ）を指定する。この指定を受けて、制御部２０は、指定された楽曲データファイル（ＦｉｌｅＣ）を、”Ｄｅｌｅｔｅ”フォルダ１３２に格納する。表示部１１の表示画面の右上には、このような操作により、”Ｄｅｌｅｔｅ”フォルダ１３２に格納されたファイルが１０個であることが表示されている。
【００３４】
ユーザは、通勤中や通学中などで、上述した操作部１０を操作して、記憶部１３に格納された楽曲データファイルを各フォルダに格納しておくことができる。このようにすれば、この曲はもう聴かないので、記憶部１３から削除したいと考えたときに、ユーザは、その時点で、上記操作を行って、その楽曲データファイルを”Ｄｅｌｅｔｅ”フォルダ１３２に格納しておくことができる。また、ユーザは、この曲をＰＣ１５１に送信したいと思ったときには、上記操作を行って、その楽曲データファイルを”Ｓｅｎｄ”フォルダ１３１に格納しておくことができる。
【００３５】
なお、以下では、”Ｓｅｎｄ”フォルダ１３１を、単に、送信フォルダ１３１と呼び、”Ｄｅｌｅｔｅ”フォルダ１３２を、単に、削除フォルダ１３２と呼び、”Ｒｅｃｅｉｖｅ”フォルダ１３３を、単に、受信フォルダ１３３と呼ぶ。
【００３６】
次に、本発明の一実施形態に係る携帯端末装置１００におけるデータ処理動作について図５のフローチャート等を参照して説明する。図５には、制御部２０において実行されるデータ処理のプログラムのフローチャートが示されている。
【００３７】
なお、前提として、携帯端末装置１００の記憶部１３のフォルダ構成と、接続される他の機器（ＰＣ１５１とする）の記憶装置１１３のフォルダ構成とは、図６に示されるようになっており、それぞれのフォルダに、図６に示される楽曲データファイルが格納されているものとする。より具体的には、記憶部１３には、前述のごとく、送信フォルダ１３１、削除フォルダ１３２、受信フォルダ１３３が設けられており、ＰＣ１５１の記憶装置１１３には、送信フォルダ１４１と、リッピングフォルダ１４２と、受信フォルダ１４３とが設けられている。
【００３８】
さらに、ユーザの操作により、携帯端末装置１００の記憶部１３の送信フォルダ１３１には、送信すべき楽曲データファイルが格納されており、削除フォルダ１３２には、削除すべき楽曲データファイルが格納されているものとする。さらに、ＰＣ１５１の記憶装置１１３の送信フォルダ１４１には、ユーザにより、携帯端末装置１００に転送されるべき楽曲データファイルが、すでに格納されているものとする。また、同一のファイル名を有する楽曲データファイルは、同一の楽曲データファイルであるものとする。
【００３９】
図５に示されるように、まず、ステップ２０１において、携帯端末装置１００とＰＣ１５１との接続が確立されるまで待つ。これらの接続はＵＳＢケーブル１１０によって接続され、データ通信可能となっているものとする。ＰＣ１５１との接続が確立されると、この判定が肯定され、ステップ２０３に進む。ステップ２０３では、制御部２０は、記憶部１３の削除フォルダ１３２に楽曲データファイルが格納されているか否かを判定する。この判定が肯定されればステップ２０５に進み、否定されればステップ２０９に進む。図６に示されるように、削除フォルダ１３２には、Ｆｉｌｅ＿００４、Ｆｉｌｅ＿００７、Ｆｉｌｅ＿００８が格納されているので、判定は肯定され、ステップ２０５に進む。
【００４０】
ステップ２０５では、制御部２０は、他の機器の記憶装置１１３に、削除フォルダ１３２に格納された楽曲データファイルと同じファイルが存在するか否かを判定する。より具体的には、制御部２０は、通信部１２を介して記憶装置１１３に格納された楽曲データファイルを参照し、同じものが格納されているか否かを判定する。この判定が肯定されればステップ２０７に進み、否定されればステップ２０９に進む。
【００４１】
例えば、図７（Ａ）に示されるように、記憶部１３の削除フォルダ１３２には、Ｆｉｌｅ＿００４、Ｆｉｌｅ＿００７、Ｆｉｌｅ＿００８が格納されており、ＰＣ１５１の記憶装置１１３のリッピングフォルダ１４２には、Ｆｉｌｅ＿００４、Ｆｉｌｅ＿００７が格納されているものとする。この場合には、記憶装置１１３に、同一の楽曲データファイルとして、Ｆｉｌｅ＿００４、Ｆｉｌｅ＿００７が存在するので、ステップ２０５の判定は肯定され、ステップ２０７に進む。
【００４２】
ステップ２０７では、制御部２０は、削除フォルダ１３２の楽曲データファイルを削除する。これにより、例えば、図７（Ｂ）に示されるように、記憶部１３の削除フォルダ１３２に格納された楽曲データファイル、Ｆｉｌｅ＿００４、Ｆｉｌｅ＿００７が削除される。Ｆｉｌｅ＿００８は、対応するファイルがなかったので削除されず残ったままとなる。ステップ２０７終了後は、ステップ２０９に進む。
【００４３】
ステップ２０３で判定が否定された後、ステップ２０５で判定が否定された後、又はステップ２０７が実行された後に実行されるステップ２０９では、制御部２０は、送信フォルダ１３１に楽曲データファイルが格納されているか否かを判定する。この判定が肯定されればステップ２１１に進み、否定されればステップ２１３に進む。例えば図８（Ａ）に示されるように、記憶部１３の送信フォルダ１３１に、楽曲データファイルＦｉｌｅ＿００１、Ｆｉｌｅ＿００２、Ｆｉｌｅ＿００３が格納されている場合には、判定は肯定され、ステップ２１１に進む。
【００４４】
ステップ２１１では、制御部２０は、送信フォルダ１３１の楽曲データファイルを、通信部１２を介して、ＰＣ１５１に送信する。これにより、例えば、図８（Ｂ）に示されるように、記憶部１３の送信フォルダ１３１に格納された楽曲データファイルＦｉｌｅ＿００１、Ｆｉｌｅ＿００２、Ｆｉｌｅ＿００３が、ＰＣ１５１の記憶装置１１３に転送され、その受信フォルダ１４３に格納される。ステップ２１１終了後は、ステップ２１３に進む。
【００４５】
ステップ２０９で判定が否定された後、ステップ２１１が実行された後に実行されるステップ２１３では、制御部２０は、ＰＣ１５１の記憶装置１１３の送信フォルダ１４１に楽曲データファイルが格納されているか否かを判定する。この判定が肯定されればステップ２１５に進み、否定されれば処理を終了する。例えば、図９（Ａ）に示されるように、ＰＣ１５１の記憶装置１１３の送信フォルダ１４１に、楽曲データファイルＦｉｌｅ＿００９、Ｆｉｌｅ＿０１０、Ｆｉｌｅ＿０１１が格納されている場合には、判定は肯定され、ステップ２１５に進む。
【００４６】
ステップ２１５では、制御部２０は、通信部１２を介してＰＣ１５１に対して、ファイル転送要求を送信する。この要求を受けて、ＰＣ１５１は、送信フォルダ１４１の楽曲データファイルを、携帯端末装置１００に送信する。制御部２０は、通信部１２を介して受信した楽曲データファイルを、受信フォルダ１３３に格納する。例えば、図９（Ｂ）に示されるように、ＰＣ１５１の記憶装置１１３の送信フォルダ１４１に格納されていた、楽曲データファイルＦｉｌｅ＿００９、Ｆｉｌｅ＿０１０、Ｆｉｌｅ＿０１１が、記憶部１３の受信フォルダ１３３に格納される。ステップ２１５終了後は、処理を終了する。
【００４７】
以上詳細に説明したように、本実施形態によれば、記憶部１３には、複数の楽曲データファイル各々を、送信、削除、受信などのデータ処理に対応付けられたフォルダ内に格納可能となっている。ユーザは、思い立ったときに、個々の楽曲データファイルを、いずれかのフォルダに格納しておくことができる。
【００４８】
そして、制御部２０は、通信部１２により他の機器との通信接続が確立されたとき、各フォルダに対応付けられたデータ処理を実行する。このようにすれば、ユーザが、自らが追加したい楽曲や、削除したい楽曲などを、時間が取れるときに選んでおき、後は、ＰＣ１５１などと通信接続された状態となったときに、複数の楽曲データファイルに関するデータ処理を一括して行うことができるようになる。すなわち、ユーザが、その楽曲データファイルに対し、楽曲データファイルに対して行うべきデータ処理を任意の時間に指定することができ、そのデータ処理が可能となった状態で、そのデータ処理を一括して行うことができるようになる。これにより、従来はとても面倒であった楽曲データファイルの入れ替えを容易に行うことができるようになるので、操作の煩わしさを軽減して、データファイルの管理・編集を行う際のユーザの負担を軽減することができる。
【００４９】
操作の煩わしさが解消されれば、携帯端末装置１００の記憶部１３に格納された楽曲データファイルの数は減少し、それらのファイルの管理がさらに容易となり、記憶部１３の使用効率が向上する。これにより、ユーザは、聞きたい曲をさらに、記憶部１３に格納することができるようになり、ユーザの満足度を高めることができるようになる。
【００５０】
本実施形態のように、一括して行うことができるデータ処理としては、データファイルの削除、データファイルの送信、データファイルの受信など、様々な処理を採用することができる。
【００５１】
また、本実施形態では、楽曲データファイルを削除する際には、ＰＣ１５１に、同じ楽曲データファイルがあるか否かを判定し、同じ楽曲データファイルがある場合にのみその楽曲データファイルを削除している。このようにすれば、削除したくなかった楽曲データファイルの削除を防止することができるうえ、削除したくなかった楽曲データファイルを誤って削除してしまった場合には、ＰＣ１５１からその楽曲データファイルを再度転送して復活させることができる。
【００５２】
なお、上記実施形態に係る携帯端末装置１００の動作の説明においては、ステップ２０１において、携帯端末装置１００とＰＣ１５１との通信接続が確立された時点で、ステップ２０１における判定が肯定され、その後の処理を実行するようになっているが、携帯端末装置１００とＰＣ１５１との通信接続が確立されている状態を、ステップ２０３以降の処理を実行するトリガとするようにしてもよく、またユーザ操作により処理を開始してもよい。
【００５３】
なお、上記実施形態に係る携帯端末装置１００の動作の説明においては、携帯端末装置１００を、ＰＣ１５１に接続したが、図２（Ｂ）に示されるように、オーディオ装置１５３に接続して、行うようにしてもよいのは勿論である。なお、オーディオ装置１５３では、ＰＣ１５１と異なり、携帯端末装置１００の記憶部１３に格納された楽曲データファイルに対するリモート操作が困難であるため、ＰＣ１５１よりも、楽曲データファイルの整理がさらに煩わしいものとなっていた。しかしながら、本実施形態に係る携帯端末装置１００をオーディオ装置１５３に接続して、楽曲データファイルのリッピングを行う場合には、予め楽曲データファイルの削除フォルダ１３２等へ格納しておけば、携帯端末装置１００の記憶部１３に格納された楽曲データファイルの削除なども一括して行うことができるので、操作の煩わしさを解消し、楽曲データファイルの効率的な管理が可能となる。
【００５４】
なお、上記実施形態では、携帯端末装置１００は、ＵＳＢケーブル１１０を介して、ＰＣ１５１やオーディオ装置１５３と接続されたが、携帯端末装置１００は、例えば図１０に示されるように、Ｂｌｕｅｔｏｏｔｈ（登録商標）や赤外線通信などの無線通信インターフェイスを介して他の機器と接続されるようにしてもよい。
【００５５】
また、上記実施形態では、制御プログラムが、ＲＯＭに予め記憶されているものとして説明した。この制御プログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、光ディスク装置にインストールされるようになっていてもよい。
【図面の簡単な説明】
【００５６】
【図１】本発明の一実施形態に係る携帯端末装置の構成を示すブロック図である。
【図２】図２（Ａ）は、図１の携帯端末装置とパーソナルコンピュータとの接続状態を示す図であり、図２（Ｂ）は、図１の携帯端末装置とオーディオ機器との接続状態を示す図である。
【図３】携帯端末装置の記憶部におけるフォルダ構成と、他の機器の記憶部におけるフォルダ構成との一例を示す図である。
【図４】図４（Ａ）及び図４（Ｂ）は、操作入力による楽曲データファイルのフォルダの指定操作を説明するための図である。
【図５】図１の携帯端末装置と他の機器との接続を確立したときに実行される処理を示すフローチャートである。
【図６】記憶装置内のフォルダ構成の一例を示す図である。
【図７】図７（Ａ）及び図７（Ｂ）は、データ削除処理の一例を示す図である。
【図８】図８（Ａ）及び図８（Ｂ）は、データ送信処理の一例を示す図である。
【図９】図９（Ａ）及び図９（Ｂ）は、データ受信処理の一例を示す図である。
【図１０】図１の携帯端末装置とパーソナルコンピュータとの接続状態の他の例を示す図である。
【図１１】図１１（Ａ）は、従来の携帯端末装置における楽曲データファイルのデータ削除操作の一例を示す図であり、図１１（Ｂ）は、パーソナルコンピュータ上で動作する専用ソフトウエアのウインドウを示す図である。
【符号の説明】
【００５７】
１０  操作部
１１  表示部
１２  通信部
１３  記憶部
１４  デジタルシグナルプロセッサ（ＤＳＰ）
１５  Ｄ／Ａコンバータ（ＤＡＣ）
１６  増幅部
１７  出力部
２０  制御部
２１  フォルダ群
１００、１０１  携帯端末装置（ポータブルオーディオ）
１１０  ＵＳＢケーブル
１１３  記憶装置
１３１  送信フォルダ
１３２  削除フォルダ
１３３  受信フォルダ
１４１  送信フォルダ
１４２  リッピングフォルダ
１４３  受信フォルダ
１５１  パーソナルコンピュータ
１５２  ディスプレイ
１５３  オーディオ装置
【図１】
2010020631.tif 000003
【図２】
2010020631.tif 000004
【図３】
2010020631.tif 000005
【図４】
2010020631.tif 000006
【図５】
2010020631.tif 000007
【図６】
2010020631.tif 000008
【図７】
2010020631.tif 000009
【図８】
2010020631.tif 000010
【図９】
2010020631.tif 000011
【図１０】
2010020631.tif 000012
【図１１】
2010020631.tif 000013